(57)【要約】【課題】  ホルダの取付け構造が改善されたカバーを有する電球形蛍光ランプを提供する。【解決手段】  電球形蛍光ランプは、発光管14と；この発光管14が取付けられる仕切り板部55およびこの仕切り板部55の周縁から立設された周縁部56を有するホルダ16と；口金13が取付けられた拡開状に形成されたカバー本体21を有し、このカバー本体21の内面にホルダ16の周縁部56の上端縁が当接する複数のストッパ52が突設形成されたカバー11と；カバー11内に収納される点灯回路15と；を具備していることを特徴とする。カバー本体11の内面に突設形成されたストッパ52にホルダ16の周縁部56の上端縁が当接するようにホルダ16がカバー本体21に取付けられるので、ホルダ16が確実に位置決めされ、取付け作業が向上するとともにホルダ16の取付け強度が向上する。【選択図】図４
2006086131.tif 000002
【特許請求の範囲】
【請求項１】
発光管と；
この発光管が取付けられる仕切り板部およびこの仕切り板部の周縁から立設された周縁部を有するホルダと；
口金が取付けられた拡開状に形成されたカバー本体を有し、このカバー本体の内面にホルダの周縁部の上端縁が当接する複数のストッパが突設形成されたカバーと；
カバー内に収納される点灯回路と；
を具備していることを特徴とする電球形蛍光ランプ。
【発明の詳細な説明】
【技術分野】
【０００１】
本発明は、口金を備えた電球形蛍光ランプに関する。
【背景技術】
【０００２】
従来、例えば、一般照明用電球のソケットに装着可能な口金を備えた電球形蛍光ランプでは、一端に口金が固定された樹脂製のカバーを備え、このカバーの内部に点灯回路を収納し、カバーの他端に発光管が保持されたホルダを取り付けるとともに、必要に応じて発光管を覆うグローブを取り付けている。
【発明の開示】
【発明が解決しようとする課題】
【０００３】
ホルダはカバー内面に取付けられる構造を有しており、このホルダの取付け構造を改善する必要がある。
【０００４】
本発明は、このような点に鑑みなされたもので、ホルダの取付け構造が改善されたカバーを有する電球形蛍光ランプを提供することを目的とする。
【課題を解決するための手段】
【０００５】
請求項１記載の電球形蛍光ランプは、発光管と；この発光管が取付けられる仕切り板部およびこの仕切り板部の周縁から立設された周縁部を有するホルダと；口金が取付けられた拡開状に形成されたカバー本体を有し、このカバー本体の内面にホルダの周縁部の上端縁が当接する複数のストッパが突設形成されたカバーと；カバー内に収納される点灯回路と；を具備していることを特徴とする。
【発明の効果】
【０００６】
請求項１記載の電球形蛍光ランプによれば、カバー本体の内面に突設形成されたストッパにホルダの周縁部の上端縁が当接するようにホルダがカバー本体に取付けられるので、ホルダが確実に位置決めされ、取付け作業が向上するとともにホルダの取付け強度が向上する。
【発明を実施するための最良の形態】
【０００７】
以下、本発明の一実施の形態を図面を参照して説明する。
【０００８】
図１および図２に第１の実施の形態を示し、図１は電球形蛍光ランプの口金とカバーとの固定部分を拡大した一部の断面図、図２は電球形蛍光ランプの一部を切り欠いた側面図である。
【０００９】
図２において、電球形蛍光ランプは、カバー11、グローブ12、口金13、発光管14、点灯回路15およびホルダ16などにより構成され、カバー11とグローブ12とで略球状（ボール状）に形成されている。なお、以下、カバー11の一端の口金13側を上側として説明する。
【００１０】
カバー11は、例えばポリブチレンテレフタレート（ＰＢＴ）などの耐熱性を有する白色の合成樹脂にて形成され、下方に拡開する略円環状のカバー本体21、およびこのカバー本体21から上方に延設された略円筒状の口金取付部22を有している。カバー本体21の下端部にグローブ12が係合されて取り付けられる開口縁部23が形成され、この開口縁部23より内側に略円筒状の発光管取付部24が下方へ向けて突出形成されている。口金取付部22の下端部に口金13が嵌合される径大な口金嵌合部25が形成されている。
【００１１】
また、グローブ12は、透明あるいは光拡散性を有する乳白色などで、ガラスあるいは合成樹脂により、略球状に形成されている。グローブ12の上端には、発光管14が挿通されるとともにカバー11の内側に係合される開口縁部28が形成されている。
【００１２】
また、口金13は、Ｅ２６形などのエジソン形の口金を構成するもので、絶縁部31を有し、この絶縁部31の上端中央に導電性を有する先端口金部32が固定され、絶縁部43の外周にソケットに螺合される導電性を有する略円筒状の螺合口金部33が形成されている。螺合口金部33の下端にはカバー11の口金取付部22の口金嵌合部25の外側すなわち外周に嵌合される嵌合部（カバー嵌合部）34が形成されている。螺合口金部33は、金属製であり、例えば、黄銅が用いられたり、金属の表面にニッケルメッキが施されて構成されている。そして、この嵌合部34の複数箇所には、嵌合部34の外側から口金取付部22にかしめられるとともにそのかしめ方向の先端側が分離されて口金取付部22が露出するかしめ部35が形成されている。かしめ部35は、嵌合部34の外周の複数方向、例えば８方向から相対してポンチングされ、それら８箇所で口金13とカバー11とをかしめて固定している。
【００１３】
また、発光管14は、略同形状の３本のＵ字状屈曲形のバルブ38を所定の位置に配置し、図示しない連通管で順次接続して、１本の放電路が形成されている。各バルブ38は、内面に蛍光体膜が形成されているとともに、内部にアルゴンなどの希ガスや水銀などが封入されている。発光管14の両端部に位置する各バルブ38の端部には図示しない電極が配置され、各電極はバルブ38の外部に導出された図示しないワイヤを通じて点灯回路15に電気的に接続されている。
【００１４】
また、点灯回路15は、回路基板41を備え、この回路基板41の上面あるいは両面に複数の電気部品42が実装され、発光管14の高周波点灯を行なうインバータ回路が構成されている。なお、回路基板41の両面に電気部品42が実装される場合には、回路基板41の上面に比較的耐熱性の弱い電解コンデンサ、フィルムコンデンサなどの電気部品42が実装され、回路基板41の下面には比較的耐熱性が強いとともに厚さ寸法が小さいダイオード、抵抗などのチップ状の電気部品42が実装される。
【００１５】
また、ホルダ16は、例えばポリブチレンテレフタレート（ＰＢＴ）などの耐熱性を有する合成樹脂にて形成され、下部には発光管14の各バルブ38の端部が挿通されて接着剤により接着固定され、上部には点灯回路15の回路基板41が取り付けられ、一体的にユニット化されている。そして、ホルダ16は、カバー11の発光管取付部24の内側に挿入され、図示しない爪構造によって発光管取付部24に固定されている。
【００１６】
次に、図１において、かしめ部35は、嵌合部34の外側から、略円錐状の先端が尖ったニードルピン（ポンチ）によるポンチングによって形成されており、嵌合部34を口金取付部22側に突き抜けた状態で口金取付部22にかしめられている。そして、かしめ部35は、ポンチングにより、口金取付部22側を頂部とする略円錐形状に窪む形状となり、ポンチング過程でその頂部45側が基端部46側に対して引っ張られて延びるとともにその延びが限界を超えることで亀裂が生じて切り離され、分離された頂部45側と基端部46側との間に口金取付部22が露出する開口部（亀裂部）47が形成されている。
【００１７】
なお、かしめ部35の各寸法は、例えば、口金13の嵌合部34の肉厚ａは０．２〜０．３ｍｍ程度、カバー11の口金取付部22（口金嵌合部25）の肉厚ｂは３ｍｍ程度、かしめ部35の開口48側の直径ｃは１．５ｍｍ、かしめ部35の深さｄは０．７ｍｍ程度となっている。
【００１８】
そして、口金13の嵌合部34の外側からのポンチングによって嵌合部34をカバー11の口金取付部22側に突き抜けた状態で口金取付部22にかしめるので、かしめ部35のかしめ深さを深くできるとともにかしめ代を増大でき、口金13とカバー11との固定強度を高めることができ、組立の自動化にも容易に対応できる。
【００１９】
また、かしめ部35において嵌合部34を突き抜けると開口部47が開口され、この開口部47を通じてカバー11の口金取付部22が露出するので、嵌合部34を突き抜けた状態すなわちかしめ状態を目視により容易に確認できる。このとき、カバー11が白色であると、例えば黄銅色などの口金13との色の区別がつきやすく、容易に確認できる。なお、カバー11の色は何色でもよいが、口金13との区別がつきやすいほうが好ましい。
【００２０】
また、かしめ部35はカバー11の口金取付部22側を頂部とする略円錐形状であり、その頂部45側が分離される状態までかしめ深さを深くしてかしめ代を増大でき、口金13とカバー11との固定強度を高めることができ、しかも、かしめ深さを深くしても、カバー11の口金取付部22に割れなどが発生することがない。
【００２１】
また、先端側が尖ったニードルピンによるポンチングによってかしめ部35を容易に形成でき、組立の自動化を容易にできる。
【００２２】
次に、図３ないし図５に第２の実施の形態を示し、図３は電球形蛍光ランプの断面図、図４はカバーの一部を切り欠いた側面図、図５はカバーの底面図である。なお、第１の実施の形態と同一構造については同一符号を用いてその説明を省略する。
【００２３】
カバー11のカバー本体21の内面に、開口縁部23の内側に沿って複数のリブ51が放射状に突出形成され、これらリブ51より上方にホルダ16を位置決めおよび係止する複数のストッパ52および複数の係止爪53が形成されている。
【００２４】
グローブ12の開口縁部28にはリブ51の下面に係合される段部54が形成され、開口縁部28の先端側はリブ51の内周側に進入配置される。
【００２５】
口金13は、第１の実施の形態と同様のかしめ部でカバー11の口金取付部22にかしめ固定されている。
【００２６】
発光管14には１本のバルブを鞍形に屈曲したバルブ38が用いられている。
【００２７】
ホルダ16は、円板状の仕切板部55、この仕切板部55の周縁から上方に向けて立設された周縁部56を有しており、カバー11の内側に挿入して取り付ける際に周縁部56の上端がストッパ52に当接されるとともに周縁部56に係止爪53が引っ掛かって係止される。
【００２８】
そして、組立工程において、カバー11にホルダ16を取り付けた後、カバー11の開口縁部23の内側のリブ51とホルダ16の周縁部56との間に例えばシリコーン接着剤などの接着剤57を注入し、グローブ12の開口縁部28をカバー11の開口縁部23の内側に合わせ、グローブ12の開口縁部28の先端をリブ51とホルダ16の周縁部56との間の接着剤57に挿入する。
【００２９】
グローブ12の開口縁部28の先端をリブ51とホルダ16の周縁部56との間の接着剤57に挿入すると、接着剤57が複数のリブ51の間に押し出されるため、カバー11に対する接着剤57の接着面積が増大し、カバー11とグローブ12との接着強度を高めることができる。
【００３０】
また、グローブ12の開口縁部28がリブ51に係合し、グローブ12をカバー11に位置決めできる。
【００３１】
そして、上述した各実施の形態の電球形蛍光ランプを備えることで照明器具を構成することができる。
【００３２】
なお、かしめ部35は、略円錐形状とすることでかしめ深さを深くすることができるが、略円錐形状に限らず、例えば略角錐形状、略円筒形状、略球曲面形状などでもよく、いずれの形状でも嵌合部34をカバー11の口金取付部22側に突き抜けた状態で口金取付部22にかしめることにより、かしめ部35のかしめ深さを深くしてかしめ代を増大でき、口金13とカバー11との固定強度を高めることができる。
【００３３】
また、上述の各実施の形態では、発光管14を覆うグローブ12を備えた構成としたが、発光管14が露出する構成としてもよい。
【００３４】
また、発光管の形状は、例えばＵ字状あるいはＨ字状のバルブを２本、３本あるいは４本などを接続して構成したり、１本のバルブを鞍形に屈曲して構成してもよい。
【図面の簡単な説明】
【００３５】
【図１】本発明の一実施の形態を示す電球形蛍光ランプの口金とカバーとの固定部分を拡大した一部の断面図である。
【図２】同上電球形蛍光ランプの一部を切り欠いた側面図である。
【図３】本発明の他の実施の形態を示す電球形蛍光ランプの断面図である。
【図４】同上カバーの一部を切り欠いた側面図である。
【図５】同上カバーの底面図である。
【符号の説明】
【００３６】
11  カバー
13  口金
14  発光管
15  点灯回路
16  ホルダ
21  カバー本体
52  ストッパ
55  仕切り板部
56  周縁部
【図１】
2006086131.tif 000003
【図２】
2006086131.tif 000004
【図３】
2006086131.tif 000005
【図４】
2006086131.tif 000006
【図５】
2006086131.tif 000007